(57)【特許請求の範囲】
【請求項１】
被検体の皮膚表面上に配置される複数個の送光プローブと、当該皮膚表面上に配置される複数個の受光プローブとを有する送受光部と、
前記送光プローブが皮膚表面に光を照射するとともに、前記受光プローブが皮膚表面から放出される光を検出するように制御することで、前記被検体中の測定部位に関する光検出信号を取得する送受光部制御部と、
前記光検出信号から算出されたヘモグロビンの濃度の経時変化中のピークの面積値となる積分値と、前記ピークの開始時間と前記ピークの終点時間との中間の時間となる重心値とを抽出する解析部とを備える光生体計測装置であって、
前記積分値と前記重心値との２次元からなる各座標に異なる色調が割り当てられたカラーテーブルを記憶するテーブル記憶部と、
前記被検体を示す形態画像を記憶する形態画像記憶部と、
前記解析部で抽出された前記積分値と前記重心値との組み合わせをカラーテーブルに当てはめることにより、前記積分値と前記重心値との組み合わせに対応する色調を決定して、前記形態画像の測定部位上に色調を重畳表示する表示制御部とを備えることを特徴とする光生体計測装置。
【請求項２】
前記送光プローブ及び受光プローブは、前記被検体の頭皮表面上に配置され、
前記送光プローブ及び受光プローブの配置位置の情報から光検出信号が得られる測定部位の位置を算出する位置算出部を備え、
前記表示制御部は、前記形態画像である３次元脳表面画像又は３次元頭皮表面画像の測定部位上に色調を重畳表示することを特徴とする請求項１に記載の光生体計測装置。
【発明の詳細な説明】
【技術分野】
【０００１】
本発明は、光を用いて測定部位に関する光検出信号を取得する光生体計測装置に関する。特に本発明は、近赤外光を用いて非侵襲で、脳の測定部位の活動状況を計測する光脳機能イメージング装置や、生体中の測定部位の酸素消費量をモニタリングする酸素モニタとして用いられる。
【背景技術】
【０００２】
ヘモグロビンは、血液中で酸素を運搬する役割を果たしている。血液中に含まれる総ヘモグロビン（以下、「ｔｏｔａｌＨｂ」ともいう）の濃度は、血管の拡張・収縮に応じて増減するため、総ヘモグロビンの濃度を測定することによって、血管の拡張・収縮を検出できることが知られている。さらに、ヘモグロビンは、酸素と結合してオキシヘモグロビン（以下、「ｏｘｙＨｂ」ともいう）となる一方、酸素と離れてデオキシヘモグロビン（以下、「ｄｅｏｘｙＨｂ」ともいう）となる。脳内では、血流再配分作用によって活性化している部位には酸素供給が行われ、酸素と結合したオキシヘモグロビンの濃度が増加することも知られている。
そこで、光を用いて生体内部を簡便に無侵襲で測定する生体測定方法が知られている。オキシヘモグロビンとデオキシヘモグロビンとは、可視光から近赤外領域にかけて異なる分光吸収スペクトル特性を有しているので、例えば、近赤外光を生体に照射することにより、生体を透過して得られる光量から、オキシヘモグロビンの濃度及びデオキシヘモグロビンの濃度をそれぞれ求めることができる。
【０００３】
このような生体測定方法を用いて脳の活動状況を観察するために、送光プローブと受光プローブとを設定間隔（チャンネル）で備える光生体計測装置が開発されている。このような光生体計測装置では、被検体の頭皮表面上に配置した送光プローブにより、脳に近赤外光を照射するとともに、頭皮表面上に配置した受光プローブにより、脳から放出された近赤外光の光量を検出する。近赤外光は、頭皮組織や骨組織を透過し、かつ、血液中のオキシヘモグロビン、デオキシヘモグロビンにより吸収される。よって、送光プローブと受光プローブとを用いることにより、脳の測定部位のオキシヘモグロビンの濃度（正確にはオキシヘモグロビンの濃度変化量×平均光路長であるが、平均光路長は一定（設定間隔）として省略する）、デオキシヘモグロビンの濃度（正確にはデオキシヘモグロビンの濃度変化量×平均光路長であるが、平均光路長は一定として省略する）、さらにはこれらから算出される総ヘモグロビンの濃度（正確には総ヘモグロビンの濃度変化量×平均光路長であるが、平均光路長は一定として省略する）の経時変化が測定データとして求められる。図８は、測定データ（トレンドグラフ）の一例を示す図である。なお、縦軸は濃度を示し、横軸は時間を示す。
【０００４】
ここで、送光プローブと受光プローブとの位置と、脳の測定部位との関係について説明する。図９（ａ）は、一対の送光プローブ１２及び受光プローブ１３と、脳の測定部位との関係を示す断面図であり、図９（ｂ）は、図９（ａ）の平面図である。
送光プローブ１２が被検体の頭皮表面上の送光点Ｔに押し当てられるとともに、受光プローブ１３が被検体の頭皮面上の受光点Ｒに押し当てられる。そして、送光プローブ１２から光を照射させるとともに、受光プローブ１３に頭皮表面から放出される光を検出させる。このとき、頭皮表面上の送光点Ｔから照射された光のうちで、バナナ形状（測定領域）を通過した光が、頭皮表面上の受光点Ｒに到達する。これにより、測定領域の中でも、特に、送光点Ｔと受光点Ｒとを被検体の頭皮表面に沿って最短距離で結んだ線Ｌ（設定間隔）の中点Ｍから、送光点Ｔと受光点Ｒとを被検体の頭皮表面に沿って最短距離で結んだ線の距離の半分の深さＬ／２である被検体の部位Ｓの受光量情報（オキシヘモグロビンの濃度、デオキシヘモグロビンの濃度、さらにはこれらから算出される総ヘモグロビンの濃度）が求まるとしている。
【０００５】
さらに近年、脳表面全体に関する脳の測定部位のオキシヘモグロビンの濃度、デオキシヘモグロビンの濃度及び総ヘモグロビンの各濃度をそれぞれ測定することにより、脳機能診断や循環器系障害診断等の医療分野に適用される光生体計測装置が開発されている。このような光生体計測装置としては、例えば、近赤外分光分析計（以下、ＮＩＲＳと略す）等が利用されている（例えば、特許文献１参照）。
ＮＩＲＳにおいては、複数個の送光プローブと、複数個の受光プローブとを所定の配列で被検体の頭皮表面に密着させるために、ホルダが使用される。このようなホルダとして、例えば、頭皮表面の形状に合わせて椀形状に成型された成型ホルダが使用されている。成型ホルダには貫通孔が複数個設けられ、送光プローブと受光プローブとがそれらの貫通孔に挿入されることによって、設定間隔（チャンネル）が一定となり、頭皮表面から特定の深度の受光量情報を得ている。
【０００６】
図２は、上述したようなＮＩＲＳにおける１４個の送光プローブと１３個の受光プローブとの位置関係を示す平面図である。送受光部１１において、送光プローブ１２ａ〜１２ｎと受光プローブ１３ａ〜１３ｍとは、縦方向と横方向とに交互となるように配置されている。なお、送光プローブ１２ａ〜１２ｎから照射された光は、隣接する受光プローブ１３ａ〜１３ｍ以外の離れた受光プローブ１３ａ〜１３ｍでも検出されるが、ここでは説明を簡略化するため、隣接する受光プローブ１３ａ〜１３ｌのみで検出されることとする。よって、合計４２個の受光量情報（光検出信号）が得られることになる。
なお、ホルダは一般的に設定間隔（チャンネル）を３０ｍｍとしたものが用いられ、チャンネルが３０ｍｍである場合には、上述したようにチャンネルの中点からの深度１５ｍｍ〜２０ｍｍの受光量情報が得られると考えられている。すなわち、頭皮表面から深度１５ｍｍ〜２０ｍｍの位置は脳表部位にほぼ対応し、脳の活動状況に関した受光量情報が得られる。
【０００７】
このようなＮＩＲＳで得られた受光量情報（光検出信号）から算出されたオキシヘモグロビン、デオキシヘモグロビン及び総ヘモグロビンの各濃度の経時変化は、表示装置に測定データ（トレンドグラフ）として表示され、医師等によって観察される。
図１０は、従来の光生体計測装置により４２個の測定データ（トレンドグラフ）が表示されたモニタ画面の一例を示す図である。
モニタ画面には、４２個の測定データ＃１〜＃４２の表示が行われている。このとき、図２に示した平面図において、送光プローブ１２ａ〜１２ｎと受光プローブ１３ａ〜１３ｎとを最短距離で結んだ線の各中点に、その送光プローブ１２ａ〜１２ｎから照射させた光を、その受光プローブ１３ａ〜１３ｍで検出させたときに得られた測定データが配置されるように整列して表示されている。具体的には、送光プローブ１２ａから照射させた光を受光プローブ１３ａで検出させたときの測定データ＃１が、左上に配置され、送光プローブ１２ｂから照射させた光を受光プローブ１３ａで検出させたときの測定データ＃２が、測定データ＃１の右に配置され、送光プローブ１２ｅから照射させた光を受光プローブ１３ａで検出させたときの測定データ＃９が、測定データ＃１の左下に配置されるように、４２個の測定データ＃１〜＃４２が整列して配置されている。
【０００８】
しかしながら、図１０に示す表示方法では、４２個の測定データ＃１〜＃４２において、酸素化ヘモグロビン、脱酸素化ヘモグロビン及び総ヘモグロビンの各濃度と時間との関係が表示されているだけであって、医師等の観察者は、被検体（患者）の脳のどの部位に脳虚血やてんかん等の病状が生じているのかを容易に診察することができず、診察が困難となっていた。
【０００９】
一方で、測定データ（ヘモグロビン信号）から複数種の特徴量（積分値及び傾き（重心値等））を抽出する解析部と、積分値及び傾きの組み合わせによって複数の型に分類する分類部と、解析結果を表示する表示部とを備える生体光計測システムが開示されている（例えば、特許文献２参照）。このような生体光計測によれば、例えば、表示部は、積分値を縦軸とし重心値を横軸とする散布図を作成し、散布図上に積分値及び重心値の組み合わせをプロットして表示するとともに、分類部で積分値及び重心値の組み合わせによってＧｒｏｕｐ１とＧｒｏｕｐ２とＧｒｏｕｐ３とに分類された型を画定する囲線を散布図上に表示している。図１１は、生体光計測により表示された散布図の一例を示す図である。
これにより、医師等の観察者は、被検体がどの疾患群（Ｇｒｏｕｐ１、Ｇｒｏｕｐ２、Ｇｒｏｕｐ３）に該当する可能性が高いかを一目で認識することができる。
【先行技術文献】
【特許文献】
【００１０】
【特許文献１】特開２００６−１０９９６４号公報
【特許文献２】特許第４５１８２８１号公報
【発明の概要】
【発明が解決しようとする課題】
【００１１】
しかしながら、図１１に示す表示方法では、被検体の脳のどの部位で病状が生じているかを診察することは考えられていなかった。そのため、図１１に示す表示方法において、散布図上に、複数（例えば４２個）の測定部位で得られた積分値及び重心値の組み合わせをそれぞれプロットして表示すると、どのプロットが脳のどの部位に対応しているのかを把握することができず、診察が困難であった。
【課題を解決するための手段】
【００１２】
そこで、本件発明者は、観察者が被検体の脳のどの部位に脳虚血やてんかん等の病状が生じているかを診察することができる光生体計測装置について検討を行った。
ところで、従来の光生体計測装置において、図１０に示す表示方法以外に、測定データ（トレンドグラフ）における特定の時間の酸素化ヘモグロビンの濃度の脳表面全体での等高線（カラーマップ）を表示させることが行われている。図１２は、測定データにおける特定の時間の酸素化ヘモグロビンの濃度の脳表面全体での等高線（カラーマップ）が表示されたモニタ画面の一例を示す図である。モニタ画面には、３次元脳表面画像２４ｂと３次元頭皮表面画像２４ａとの表示が行われている。そして、３次元脳表面画像２４ｂに、特定の時間（ｔ＝１００）での酸素化ヘモグロビンの濃度を示す等高線が重畳されて表示されている。このとき、等高線において、ベース値を基準として所定の幅で酸素化ヘモグロビンの濃度が上昇又は下降する毎に色調が変化するように表示される。
【００１３】
しかし、図１２に示す表示方法では、脳の部位の表示があることから、脳の測定部位の把握は容易になるが、特定の時間（ｔ＝１００）での酸素化ヘモグロビンの濃度しか把握することができなかった。そのため、脳のどの部位に脳虚血やてんかん等の病状が生じているのかを診察することはできず、診察が困難であった。
そこで、測定データ等から複数の特徴量を抽出するとともに、特徴量の種類数と同数の次元からなるカラーテーブルを作成して、このカラーテーブルを用いて３次元脳表面画像等の形態画像の測定部位上に色調を重畳表示することを見出した。
【００１４】
すなわち、本発明の光生体計測装置は、被検体の皮膚表面上に配置される複数個の送光プローブと、当該皮膚表面上に配置される複数個の受光プローブとを有する送受光部と、前記送光プローブが皮膚表面に光を照射するとともに、前記受光プローブが皮膚表面から放出される光を検出するように制御することで、前記被検体中の測定部位に関する光検出信号を取得する送受光部制御部と、前記光検出信号から算出されたヘモグロビンの濃度の経時変化中のピークの面積値となる積分値と、前記ピークの開始時間と前記ピークの終点時間との中間の時間となる重心値とを抽出する解析部とを備える光生体計測装置であって、前記積分値と前記重心値との２次元からなる各座標に異なる色調が割り当てられたカラーテーブルを記憶するテーブル記憶部と、前記被検体を示す形態画像を記憶する形態画像記憶部と、前記解析部で抽出された前記積分値と前記重心値との組み合わせをカラーテーブルに当てはめることにより、前記積分値と前記重心値との組み合わせに対応する色調を決定して、前記形態画像の測定部位上に色調を重畳表示する表示制御部とを備えるようにしている。
【００１５】
ここで、「形態画像」とは、核磁気共鳴画像診断装置（以下、ＭＲＩと略す）やＣＴ画像等により作成された被検体の映像データから、頭皮表面や脳表面を示す映像データを抽出することにより作成された３次元形態画像データであってもよく、ヒトの形態を示すテンプレートであってもよい。
【００１６】
本発明の光生体計測装置によれば、テーブル記憶部は、特徴量の種類数と同数の次元からなるカラーテーブルを予め記憶している。例えば、被検体を測定するより前に、光検出信号から算出されたヘモグロビンの濃度の経時変化の積分値を縦軸とし、光検出信号から算出されたヘモグロビンの濃度の経時変化の重心値を横軸とする２次元のテーブルにおいて、所定の座標範囲毎にそれぞれ異なる色調を対応付けたカラーテーブルを記憶させておくようにする。
【００１７】
そして、被検体を測定する際に、送受光部制御部が光検出信号を取得した後、解析部は、光検出信号から複数の特徴量を抽出する。例えば、光検出信号から算出されたヘモグロビンの濃度の経時変化から積分値と重心値とを抽出する。
その後、医師等の観察者が被検体を診察する際に、表示制御部は、解析部で抽出された積分値と重心値との組み合わせを、テーブル記憶部に記憶されたカラーテーブルに当てはめることにより、色調を決定して、形態画像の測定部位上に色調を重畳表示する。これにより、医師等の観察者は、２次元のテーブルにおける各座標範囲の色調を把握することによって、どの部位に病状が生じているかを容易に診察することができる。
【発明の効果】
【００１８】
したがって、本発明の光生体計測装置によれば、形態画像の測定部位上に色調が重畳表示されるので、医師等の観察者はどの部位に病状が生じているかを容易に診察することができる。
【００１９】
（その他の課題を解決するための手段及び効果）
また、本発明の光生体計測装置においては、前記送光プローブ及び受光プローブは、前記被検体の頭皮表面上に配置され、前記送光プローブ及び受光プローブの配置位置の情報から光検出信号が得られる測定部位の位置を算出する位置算出部を備え、前記表示制御部は、前記形態画像である３次元脳表面画像又は３次元頭皮表面画像の測定部位上に色調を重畳表示するようにしてもよい。
【００２０】
本発明の光生体測定装置によれば、３次元脳表面画像や３次元頭皮表面画像の測定部位上に色調が重畳表示されるので、脳虚血やてんかん等の病状が生じている脳の測定部位の位置を容易に把握することができる。
【図面の簡単な説明】
【００２１】
【図１】本発明の一実施形態である光生体計測装置の構成を示すブロック図。
【図２】送受光部における１４個の送光プローブと１３個の受光プローブとの位置関係を示す平面図。
【図３】本発明の光生体計測装置により表示されたモニタ画面の一例を示す図。
【図４】カラーテーブルの一例を示す図。
【図５】カラーテーブルの別の一例を示す図。
【図６】３次元頭皮表面テンプレート画像等の各測定部位間を等高線（カラーマップ）で表示した一例を示す図。
【図７】３次元脳表面画像の４２個の測定部位間を等高線（カラーマップ）で表示した一例を示す図。
【図８】測定データ（トレンドグラフ）の一例を示す図。
【図９】一対の送光プローブ及び受光プローブと、脳の測定部位との関係を示す図。
【図１０】従来の光生体計測装置により４２個の測定データ（トレンドグラフ）が表示されたモニタ画面の一例を示す図。
【図１１】生体光計測により表示された散布図の一例を示す図。
【図１２】測定データにおける特定の時間の酸素化ヘモグロビンの濃度の脳表面全体での等高線（カラーマップ）が表示されたモニタ画面の一例を示す図。
【発明を実施するための形態】
【００２２】
以下、本発明の実施形態について図面を用いて説明する。なお、本発明は、以下に説明するような実施形態に限定されるものではなく、本発明の趣旨を逸脱しない範囲で種々の態様が含まれる。
【００２３】
図１は、本発明の一実施形態である光生体計測装置の構成を示すブロック図である。なお、上述した光生体計測装置と同様のものについては、同じ符号を付している。
光生体測定装置１は、送受光部１１と、発光部２と、光検出部３と、光生体計測装置１全体の制御を行う制御部（コンピュータ）２０とにより構成される。
【００２４】
発光部２は、コンピュータ２０から入力された駆動信号により１４個の送光プローブ１２のうちから選択される１個の送光プローブ１２に光を送光する。上記の光としては、近赤外光（例えば、７８０ｎｍと８０５ｎｍと８３０ｎｍとの３波長光）が用いられる。また、光検出部３は、１３個の受光プローブ１３で受光した近赤外光（例えば、７８０ｎｍと８０５ｎｍと８３０ｎｍとの３波長光）を個別に検出することにより、１３個の光検出信号をコンピュータ２０に出力する。
【００２５】
本実施形態の光生体測定装置１は、酸素化ヘモグロビンの経時変化の重心値（Ｆａｃｔｏｒ  Ｂ）と積分値（Ｆａｃｔｏｒ  Ａ）とを抽出して、重心値と積分値との組み合わせから脳虚血やてんかん等の病状が生じているか否かを診察するものである。重心値と積分値とは、酸素化ヘモグロビンの経時変化の波形を時間軸に沿ってスキャンすることにより数値として求められる。具体的には、まず、酸素化ヘモグロビンの経時変化の波形の傾斜量を順次調べてゆき、その傾斜量が所定値以上になったときにピークの開始点であると判断し、傾斜量が零から負に転じたときにピークトップであると判断し、傾斜量が所定値以上になったときにピークの終点であると判断する。そして、重心値は、ピークの開始時間とピークの終点時間との中間である時間とし、積分値は、ピークの面積値とする。
【００２６】
そして、医師等の観察者が、被検体の脳のどの部位に脳虚血やてんかん等の病状が生じているのかを診察するために、被検体の脳表面における４２個の測定部位＃１〜＃４２から酸素化ヘモグロビンの経時変化を取得するものとする（図２参照）。図３は、本発明に係る光生体計測装置１により表示されたモニタ画面２３ａの一例を示す図である。３次元頭皮表面画像２４ａの４２個の測定部位＃１〜＃４２上には、それぞれ色調が表示されている。
【００２７】
そこで、図３に示す表示方法を実行するコンピュータ２０においては、ＣＰＵ２１を備え、さらにメモリ２５と、モニタ画面２３ａ等を有する表示装置２３と、入力装置２２であるキーボード２２ａやマウス２２ｂとが連結されている。また、ＣＰＵ２１が処理する機能をブロック化して説明すると、発光部２及び光検出部３を制御する送受光部制御部４と、解析部３１と、位置算出部３２と、表示制御部３４とを有する。また、メモリ２５は、光検出信号や測定データを記憶していく測定データ記憶部５２と、積分値及び重心値の組み合わせと色調とを対応付けたカラーテーブルを予め記憶するテーブル記憶部５３と、被検体を示す３次元頭皮表面画像２４ａを予め記憶する形態画像記憶部５４とを有する。
【００２８】
テーブル記憶部５３には、酸素化ヘモグロビンの濃度の経時変化の積分値を横軸とし、酸素化ヘモグロビンの濃度の経時変化の重心値を縦軸とする２次元のテーブルにおいて所定の座標範囲毎にそれぞれ異なる色調を対応付けたカラーテーブルが予め記憶されている。図４（ａ）は、カラーテーブルの一例を示す図である。具体的には、重心値（Ｆａｃｔｏｒ  Ｂ）の最小値と最大値とを決め、その重心値の大きさを均等に３つに区分するとともに、積分値（Ｆａｃｔｏｒ  Ａ）の最小値と最大値とを決め、その積分値の大きさを均等に３つに区分するように、９つの座標範囲に分類する。そして、積分値が小さくかつ重心値が小さい第一の座標範囲に「赤色」を対応付け、積分値が中間でありかつ重心値が小さい第二の座標範囲に「橙色」を対応付け、積分値が大きくかつ重心値が小さい第三の座標範囲に「黄色」を対応付けるように、９週類の座標範囲にそれぞれの色調を対応付けている。つまり、医師等の観察者は色調を観察するだけで、９種類内のいずれであるかを把握することができるようになっている。
【００２９】
形態画像記憶部５４には、被検体を示す３次元頭皮表面画像２４ａが予め記憶されている。３次元頭皮表面画像２４ａは、ＭＲＩで撮影された形態映像データに基づいて、頭皮表面を示す形態映像データを抽出することにより、頭皮表面形態画像データを取得して作成されたものである。なお、上述した抽出する方法としては、例えば、ＭＲＩ信号の強度情報や位相情報等の数値を有する複数のピクセルを用いることにより、領域拡張法、領域併合法、ヒューリスティック法等の画像領域分割方法、境界要素を連結して領域を抽出する方法、閉曲線を変形させて領域を抽出する方法等を利用する方法等が挙げられる。
【００３０】
送受光部制御部４は、発光部２に駆動信号を出力する発光制御部４２と、光検出部３からの光検出信号が入力されることにより光検出信号を測定データ記憶部５２に記憶させていく光検出制御部４３とを有する。
発光制御部４２は、送光プローブ１２に光を送光する駆動信号を発光部２に出力する制御を行うものである。また、光検出制御部４３は、光検出部３からの光検出信号が入力されることにより、１３個の受光プローブ１３から検出された１３個の光検出信号を測定データ記憶部５２に記憶させていく制御を行うものである。つまり、１個の送光プローブ１２から光が送光される毎に、１３個の光検出信号が測定データ記憶部５２に記憶されることになる。なお、送光プローブ１２と隣接した受光プローブ１３への光の光検出信号を、脳の測定部位から得られる受光量情報とするので、全ての送光プローブ１２から光が送光された後には、１４個×１３個＝１８２個の光検出信号から選択される４２個の光検出信号を得ることになる。
【００３１】
位置算出部３２は、１４個の送光プローブ１２及び１３個の受光プローブ１３の配置位置の情報から光検出信号が得られる４２個の測定部位＃１〜＃４２の位置を算出する制御を行うものである。例えば、位置算出部３２は、４個の送光プローブ１２及び１３個の受光プローブ１３の配置位置の情報が入力装置２２で入力されることによって、形態画像記憶部５４に記憶された被検体を示す３次元頭皮表面画像２４ａにおいて、測定部位＃１〜＃４２の位置を、送光プローブ１２の位置と受光プローブ１３の位置とを結んだ線の中点とするように算出する。
【００３２】
解析部３１は、測定データ記憶部５２に記憶された光検出信号において、送光プローブ１２と隣接した受光プローブ１３への４２個の光検出信号を取得して、取得した４２個の光検出信号に基づいて、酸素化ヘモグロビンの濃度の経時変化を示す測定データ（トレンドグラフ）を算出して測定データ記憶部５２に記憶させる制御を行う。このとき、図２に示す送受光部１１において、４２個の測定部位＃１〜＃４２での測定データ（トレンドグラフ）がそれぞれ算出される。
そして、解析部３１は、４２個の測定データ（トレンドグラフ）から積分値と重心値とをそれぞれ抽出する制御を行う。つまり、４２個の測定部位＃１〜＃４２での積分値と重心値との組み合わせがそれぞれ算出される。
【００３３】
表示制御部３４は、解析部３１で抽出された積分値と重心値との組み合わせをカラーテーブルに当てはめることにより色調を決定し、モニタ画面２３ａに表示された３次元頭皮表面画像２４ａの４２個の測定部位＃１〜＃４２上に色調を表示する制御を行うものである。その結果、図３に示すように、３次元頭皮表面画像２４ａの４２個の測定部位＃１〜＃４２上に、それぞれ色調が表示される。これにより、例えば、測定部位＃１〜＃５、＃８〜＃１２上には、「赤色」が表示されているので、医師等の観察者は、測定部位＃１〜＃５、＃８〜＃１２は、積分値が小さくかつ重心値が小さいことを把握することができ、また、測定部位＃６、＃９上には、「黄色」が表示されているので、測定部位＃６、＃７は、積分値が大きくかつ重心値が小さいことを把握することができる。なお、医師等の観察者が色調を観察するだけで、いずれの状態であるかを容易に把握することができるように、モニタ画面２３ａのいずれかの位置（例えば、右下部）に図４（ａ）に示すカラーテーブルの表示が行われるようにしてもよい。
【００３４】
以上のように、本発明の光生体計測装置１によれば、３次元頭皮表面画像２４ａの４２個の測定部位＃１〜＃４２上に色調が重畳表示されるので、医師等の観察者は脳のどの部位＃１〜＃４２に脳虚血やてんかん等の病状が生じているのかを容易に診察することができる。
【００３５】
＜他の実施形態＞
（１）上述した光生体計測装置１では、１４個の送光プローブ１２と１３個の受光プローブ１３とを有する送受光部１１を示したが、異なる数、例えば１２個の送光プローブと１２個の受光プローブとを有する送受光部としてもよい。
【００３６】
（２）上述した光生体計測装置１では、９つの座標範囲に分類されたカラーテーブルを用いることを示したが、異なる数、例えば１６個の座標範囲に分類されたカラーテーブルを用いるようにしてもよい。図４（ｂ）は、カラーテーブルの他の一例を示す図である。
さらに、カラーテーブルにおいて、座標範囲に分類することなく徐々に色調が変化するものを用いるようにしてもよい。図５（ａ）、（ｂ）は、カラーテーブルのさらに他の一例を示す図である。
【００３７】
（３）上述した光生体計測装置１では、３次元頭皮表面画像２４ａの４２個の測定部位＃１〜＃４２上に色調を表示することを示したが、３次元頭皮表面テンプレート画像等の各測定部位の間にも色調を補完することにより等高線（カラーマップ）で表示するようにしてもよく（図６参照）、３次元脳表面画像の４２個の測定部位＃１〜＃４２の間にも色調を補完することにより等高線（カラーマップ）で表示するようにしてもよい（図７参照）。
【００３８】
（４）上述した光生体計測装置１では、酸素化ヘモグロビンの経時変化の重心値（Ｆａｃｔｏｒ  Ｂ）と積分値（Ｆａｃｔｏｒ  Ａ）とを抽出することを示したが、重心値（Ｆａｃｔｏｒ  Ｂ）と積分値（Ｆａｃｔｏｒ  Ａ）とでなくてもよく、さらに３個以上の特徴量であってもよく、酸素化ヘモグロビンの数値（Ｆａｃｔｏｒ  Ａ）と脱酸素化ヘモグロビンの数値（Ｆａｃｔｏｒ  Ｂ）と総ヘモグロビンの数値（Ｆａｃｔｏｒ  Ｃ）と抽出するようにしてもよい。
【産業上の利用可能性】
【００３９】
本発明は、近赤外光を用いて非侵襲で、脳の測定部位の活動状況を計測する光脳機能イメージング装置や、生体中の測定部位の酸素消費量をモニタリングする酸素モニタ等として使用することができる。
【符号の説明】
【００４０】
１：光生体計測装置
４：送受光部制御部
１１：送受光部
１２：送光プローブ
１３：受光プローブ
２２：入力装置
２３：表示装置
３１：解析部
３４：表示制御部
５３：テーブル記憶部
５４：形態画像記憶部
Ｔ：送光点
Ｒ：受光点
【図１】
0005853777.tif 000002
【図２】
0005853777.tif 000003
【図８】
0005853777.tif 000004
【図９】
0005853777.tif 000005
【図３】
0005853777.tif 000006
【図４】
0005853777.tif 000007
【図５】
0005853777.tif 000008
【図６】
0005853777.tif 000009
【図７】
0005853777.tif 000010
【図１０】
0005853777.tif 000011
【図１１】
0005853777.tif 000012
【図１２】
0005853777.tif 000013